【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
ゴルフスイング過程の時間に対するユーザの第1の足によって行使される力を判定するための第1の力感知システムを含む第1のフットウエア製品と、
ゴルフスイング過程の時間に対する該ユーザの第2の足によって行使される力を判定するための第2の力感知システムを含む第2のフットウエア製品と、
該第1の力感知システムおよび該第2の力感知システムによって収集されるデータ、または該第1の力感知システムおよび該第2の力感知システムによって収集されるデータから導出されるデータを記憶するためのメモリシステムと、
該第1の力感知システムおよび該第2の力感知システムによって収集されるデータ、または該第1の力感知システムおよび該第2の力感知システムによって収集されるデータから導出されるデータを用いて、ゴルフスイング過程のユーザの力の中心を標示する情報、およびゴルフスイング過程のユーザ体重移動を標示する情報のうちの少なくとも一つを判定するための処理システムと
を含む、ゴルフスイング評価システム。
【請求項２】
ゴルフスイング過程の時間に対するユーザの第1の足によって行使される力を標示する情報およびゴルフスイング過程の時間に対する該ユーザの第2の足によって行使される力を標示する情報のうちの少なくとも一つを表示する手段
をさらに含む、請求項1記載のシステム。
【請求項３】
表示する手段が、ゴルフスイング過程の時間に対するユーザの第1の足によって行使される力およびゴルフスイング過程の時間に対する該ユーザの第2の足によって行使される力のうちの少なくとも一つを標示する表示情報に対して該ゴルフスイング中のボールコンタクトの標示をさらに表示する、請求項2記載のシステム。
【請求項４】
（a）ゴルフスイング過程の時間に対するユーザの第1の足によって行使される力を標示する情報またはゴルフスイング過程の時間に対する該ユーザの第2の足によって行使される力を標示する情報の少なくとも一つを（b）標準ゴルフスイング足底力プロファイルと比較するために、前記処理システムがさらに構成されている、請求項1記載のシステム。
【請求項５】
（a）ゴルフスイング過程の時間に対するユーザの第1の足によって行使される力を標示する情報またはゴルフスイング過程の時間に対する該ユーザの第2の足によって行使される力を標示する情報の少なくとも一つと、（b）標準ゴルフスイング足底力プロファイルとを同時に表示する手段
をさらに含む、請求項1記載のシステム。
【請求項６】
第1のフットウエア製品の第1の力感知システムが、ゴルフスイング過程全体にわたる、ユーザの第1の足によって行使された力を判定し、第2のフットウエア製品の第2の力感知システムが、ゴルフスイング過程全体にわたる、ユーザの第2の足によって行使された力を判定する、請求項1記載のシステム。
【請求項７】
第1の力感知システムが、ゴルフスイング過程でユーザの第1の足によって該第1の足の複数の領域で行使される力を判定し、第2の力感知システムが、ゴルフスイング過程で該ユーザの第2の足によって該第2の足の複数の領域で行使される力を判定する、請求項1記載のシステム。
【請求項８】
ゴルフスイング過程の時間に対するゴルフクラブの位置を判定するためのクラブ位置センサ
をさらに含む、請求項1記載のシステム。
【請求項９】
ゴルフスイング過程の時間に対するゴルフクラブの位置を標示する情報を表示する手段
をさらに含む、請求項8記載のシステム。
【請求項１０】
（a）ゴルフスイング過程の時間に対するゴルフクラブの位置を標示する情報を（b）標準ゴルフスイング中のゴルフクラブの位置と比較するために、前記処理システムがさらに構成されている、請求項8記載のシステム。
【請求項１１】
（a）ゴルフスイング過程の時間に対するゴルフクラブの位置を標示する情報と、（b）標準ゴルフスイング中のゴルフクラブの位置とを同時に表示する手段
をさらに含む、請求項8記載のシステム。
【請求項１２】
ゴルフスイング過程の時間に対するユーザの身体の部分の位置を判定するための身体位置センサ
をさらに含む、請求項1記載のシステム。
【請求項１３】
ゴルフスイング過程の時間に対するユーザの身体の部分の位置を標示する情報を表示する手段
をさらに含む、請求項12記載のシステム。
【請求項１４】
（a）ゴルフスイング過程の時間に対するユーザの身体の部分の位置を標示する情報を（b）ゴルフスイング中の別のユーザの身体の対応する部分の位置と比較するために、前記処理システムがさらに構成されている、請求項12記載のシステム。
【請求項１５】
（a）ゴルフスイング過程の時間に対するユーザの身体の部分の位置を標示する情報と、（b）ゴルフスイング中の別のユーザの身体の対応する部分の位置とを同時に表示する手段
をさらに含む、請求項12記載のシステム。
【請求項１６】
ユーザの身体の部分が手である、請求項12記載のシステム。
【請求項１７】
ユーザの身体の部分が肩である、請求項12記載のシステム。
【請求項１８】
身体位置センサの少なくとも一部分がゴルフグローブに組み込まれている、請求項12記載のシステム。
【請求項１９】
身体位置センサの少なくとも一部分がシャツに組み込まれている、請求項12記載のシステム。
【請求項２０】
ゴルフスイング過程の時間に対するユーザの第1の足によって行使される力を判定するための第1の力感知システムと、
ゴルフスイング過程の時間に対する該ユーザによって生成されるゴルフスイング動力学情報を判定するためのゴルフスイング動力学感知システムと、
該第1の力感知システムおよび該ゴルフスイング動力学感知システムによって収集されるデータまたは該第1の力感知システムおよび該ゴルフスイング動力学感知システムによって収集されるデータから導出されるデータを記憶するためのメモリシステムと、
該第1の力感知システムおよび該ゴルフスイング動力学感知システムによって収集されるデータ、または該第1の力感知システムおよび該ゴルフスイング動力学感知システムによって収集されるデータから導出されるデータを用いて、ゴルフスイング過程のユーザの力の中心を標示する情報、およびゴルフスイング過程のユーザ体重移動を標示する情報のうちの少なくとも一つを判定するための処理システムと
を含む、ゴルフスイング評価システム。
【請求項２１】
ゴルフスイング過程の時間に対するユーザの第1の足によって行使される力を標示する情報と該ゴルフスイング過程の時間に対するゴルフスイング動力学を標示する情報のうちの少なくとも一つを表示する手段
をさらに含む、請求項20記載のシステム。
【請求項２２】
表示する手段が、
ゴルフスイング過程の時間に対するユーザの第1の足によって行使される力を標示する表示情報と
該ゴルフスイング過程の時間に対するゴルフスイング動力学を標示する情報と
に対する該ゴルフスイング中のボールコンタクトの標示をさらに表示する、請求項21記載のシステム。
【請求項２３】
（a）ゴルフスイング過程の時間に対するユーザの第1の足によって行使される力を標示する情報を（b）標準ゴルフスイング足底力プロファイルと比較するために、前記処理システムがさらに構成されている、請求項20記載のシステム。
【請求項２４】
（a）ゴルフスイング過程の時間に対するユーザの第1の足によって行使される力を標示する情報と、（b）標準ゴルフスイング足底力プロファイルとを同時に表示する手段
をさらに含む、請求項20記載のシステム。
【請求項２５】
第1の力感知システムが、ゴルフスイング過程でユーザの第1の足によって該第1の足の複数の領域で行使される力を判定する、請求項20記載のシステム。
【請求項２６】
ゴルフスイング動力学感知システムが、ゴルフスイング過程の時間に対するゴルフクラブの少なくとも一部分の位置を判定するためのクラブ位置センサを含む、請求項20記載のシステム。
【請求項２７】
ゴルフスイング動力学感知システムが、ゴルフスイング過程の時間に対するユーザの身体の部分の位置を判定するための身体位置センサを含む、請求項20記載のシステム。
【請求項２８】
ユーザの身体の部分が手である、請求項27記載のシステム。
【請求項２９】
ユーザの身体の部分が肩である、請求項27記載のシステム。
【請求項３０】
身体位置センサの少なくとも一部分がゴルフグローブに組み込まれている、請求項27記載のシステム。
【請求項３１】
身体位置センサの少なくとも一部分がシャツに組み込まれている、請求項27記載のシステム。
【請求項３２】
第1のフットウエア製品の第1の力感知システムが、ゴルフスイング過程全体にわたる、ユーザの第1の足によって行使された力を判定する、請求項20記載のシステム。
【手続補正２】
【補正対象書類名】明細書
【補正対象項目名】００２０
【補正方法】変更
【補正の内容】
【００２０】
[本発明1001]
ゴルフスイング過程の時間に対するユーザの第1の足によって行使される力を判定するための第1の力感知システムを含む第1のフットウエア製品と、
ゴルフスイング過程の時間に対する該ユーザの第2の足によって行使される力を判定するための第2の力感知システムを含む第2のフットウエア製品と、
該第1の力感知システムおよび該第2の力感知システムによって収集されるデータ、または該第1の力感知システムおよび該第2の力感知システムによって収集されるデータから導出されるデータを記憶するためのメモリシステムと
を含む、ゴルフスイング評価システム。
[本発明1002]
ゴルフスイング過程の時間に対するユーザの第1の足によって行使される力を標示する情報およびゴルフスイング過程の時間に対する該ユーザの第2の足によって行使される力を標示する情報のうちの少なくとも一つを表示する手段
をさらに含む、本発明1001のシステム。
[本発明1003]
表示する手段が、ゴルフスイング過程の時間に対するユーザの第1の足によって行使される力およびゴルフスイング過程の時間に対する該ユーザの第2の足によって行使される力のうちの少なくとも一つを標示する表示情報に対して該ゴルフスイング中のボールコンタクトの標示をさらに表示する、本発明1002のシステム。
[本発明1004]
（a）ゴルフスイング過程の時間に対するユーザの第1の足によって行使される力を標示する情報またはゴルフスイング過程の時間に対する該ユーザの第2の足によって行使される力を標示する情報の少なくとも一つを（b）標準ゴルフスイング足底力プロファイルと比較する手段
をさらに含む、本発明1001のシステム。
[本発明1005]
（a）ゴルフスイング過程の時間に対するユーザの第1の足によって行使される力を標示する情報またはゴルフスイング過程の時間に対する該ユーザの第2の足によって行使される力を標示する情報の少なくとも一つと、（b）標準ゴルフスイング足底力プロファイルとを同時に表示する手段
をさらに含む、本発明1001のシステム。
[本発明1006]
第1のフットウエア製品および第2のフットウエア製品の各々が、ゴルフトラクション要素が内部に一体形成されるかまたは結合された本底を含む、本発明1001のシステム。
[本発明1007]
第1の力感知システムが、ゴルフスイング過程でユーザの第1の足によって該第1の足の複数の領域で行使される力を判定し、第2の力感知システムが、ゴルフスイング過程で該ユーザの第2の足によって該第2の足の複数の領域で行使される力を判定する、本発明1001のシステム。
[本発明1008]
ゴルフスイング過程の時間に対するゴルフクラブの位置を判定するためのクラブ位置センサ
をさらに含む、本発明1001のシステム。
[本発明1009]
ゴルフスイング過程の時間に対するゴルフクラブの位置を標示する情報を表示する手段
をさらに含む、本発明1008のシステム。
[本発明1010]
（a）ゴルフスイング過程の時間に対するゴルフクラブの位置を標示する情報を（b）標準ゴルフスイング中のゴルフクラブの位置と比較する手段
をさらに含む、本発明1008のシステム。
[本発明1011]
（a）ゴルフスイング過程の時間に対するゴルフクラブの位置を標示する情報と、（b）標準ゴルフスイング中のゴルフクラブの位置とを同時に表示する手段
をさらに含む、本発明1008のシステム。
[本発明1012]
ゴルフスイング過程の時間に対するユーザの身体の部分の位置を判定するための身体位置センサ
をさらに含む、本発明1001のシステム。
[本発明1013]
ゴルフスイング過程の時間に対するユーザの身体の部分の位置を標示する情報を表示する手段
をさらに含む、本発明1012のシステム。
[本発明1014]
（a）ゴルフスイング過程の時間に対するユーザの身体の部分の位置を標示する情報を（b）ゴルフスイング中の別のユーザの身体の対応する部分の位置と比較する手段
をさらに含む、本発明1012のシステム。
[本発明1015]
（a）ゴルフスイング過程の時間に対するユーザの身体の部分の位置を標示する情報と、（b）ゴルフスイング中の別のユーザの身体の対応する部分の位置とを同時に表示する手段
をさらに含む、本発明1012のシステム。
[本発明1016]
ユーザの身体の部分が手である、本発明1012のシステム。
[本発明1017]
ユーザの身体の部分が肩である、本発明1012のシステム。
[本発明1018]
身体位置センサの少なくとも一部分がゴルフグローブに組み込まれている、本発明1012のシステム。
[本発明1019]
身体位置センサの少なくとも一部分がシャツに組み込まれている、本発明1012のシステム。
[本発明1020]
ゴルフスイング過程の時間に対するユーザの第1の足によって行使される力を判定するための第1の力感知システムと、
ゴルフスイング過程の時間に対する該ユーザによって生成されるゴルフスイング動力学情報を判定するためのゴルフスイング動力学感知システムと、
該第1の力感知システムおよび該ゴルフスイング動力学感知システムによって収集されるデータまたは該第1の力感知システムおよび該ゴルフスイング動力学感知システムによって収集されるデータから導出されるデータを記憶するためのメモリシステムと
を含む、ゴルフスイング評価システム。
[本発明1021]
ゴルフスイング過程の時間に対するユーザの第1の足によって行使される力を標示する情報と該ゴルフスイング過程の時間に対するゴルフスイング動力学を標示する情報のうちの少なくとも一つを表示する手段
をさらに含む、本発明1020のシステム。
[本発明1022]
表示する手段が、
ゴルフスイング過程の時間に対するユーザの第1の足によって行使される力を標示する表示情報と
該ゴルフスイング過程の時間に対するゴルフスイング動力学を標示する情報と
に対する該ゴルフスイング中のボールコンタクトの標示をさらに表示する、本発明1021のシステム。
[本発明1023]
（a）ゴルフスイング過程の時間に対するユーザの第1の足によって行使される力を標示する情報または該ゴルフスイング過程の時間に対するゴルフスイング動力学を標示する情報の少なくとも一つを（b）標準ゴルフスイングプロファイルと比較する手段
をさらに含む、本発明1020のシステム。
[本発明1024]
（a）ゴルフスイング過程の時間に対するユーザの第1の足によって行使される力を標示する情報または該ゴルフスイング過程の時間に対するゴルフスイング動力学を標示する情報の少なくとも一つと、（b）標準ゴルフスイングプロファイルとを同時に表示する手段
をさらに含む、本発明1020のシステム。
[本発明1025]
第1の力感知システムが、ゴルフスイング過程でユーザの第1の足によって該第1の足の複数の領域で行使される力を判定する、本発明1020のシステム。
[本発明1026]
ゴルフスイング動力学感知システムが、ゴルフスイング過程の時間に対するゴルフクラブの少なくとも一部分の位置を判定するためのクラブ位置センサを含む、本発明1020のシステム。
[本発明1027]
ゴルフスイング動力学感知システムが、ゴルフスイング過程の時間に対するユーザの身体の部分の位置を判定するための身体位置センサを含む、本発明1020のシステム。
[本発明1028]
ユーザの身体の部分が手である、本発明1027のシステム。
[本発明1029]
ユーザの身体の部分が肩である、本発明1027のシステム。
[本発明1030]
身体位置センサの少なくとも一部分がゴルフグローブに組み込まれている、本発明1027のシステム。
[本発明1031]
身体位置センサの少なくとも一部分がシャツに組み込まれている、本発明1027のシステム。
[本発明1032]
ゴルフスイングを解析する方法であって、以下の工程を含む、方法:
少なくとも一部が第1のフットウエア製品に含まれる第1の力感知システムから第1の入力データセットを受け取る工程であって、該第1の入力データセットがゴルフスイング過程の時間に対するユーザの第1の足によって行使される力を標示する情報を含む、工程;
少なくとも一部が第2のフットウエア製品に含まれる第2の力感知システムから第2の入力データセットを受け取る工程であって、該第2の入力データセットがゴルフスイング過程の時間に対する該ユーザの第2の足によって行使される力を標示する情報を含む、工程;ならびに
該第1の入力データセットおよび該第2の入力データセットを記憶する工程。
[本発明1033]
ゴルフスイング過程の時間に対するユーザの第1の足によって行使される力を標示する情報およびゴルフスイング過程の時間に対する該ユーザの第2の足によって行使される力を標示する情報のうちの少なくとも一つを表示する工程
をさらに含む、本発明1032の方法。
[本発明1034]
ゴルフスイング過程の時間に対するユーザの第1の足によって行使される力およびゴルフスイング過程の時間に対する該ユーザの第2の足によって行使される力のうちの少なくとも一つを標示する表示情報に対して該ゴルフスイング中のボールコンタクトの標示を表示する工程
をさらに含む、本発明1033の方法。
[本発明1035]
（a）ゴルフスイング過程の時間に対するユーザの第1の足によって行使される力を標示する情報またはゴルフスイング過程の時間に対する該ユーザの第2の足によって行使される力を標示する情報の少なくとも一つと（b）標準ゴルフスイング足底力プロファイルとの比較を可能にする情報を表示する工程
をさらに含む、本発明1032の方法。
[本発明1036]
（a）ゴルフスイング過程の時間に対するユーザの第1の足によって行使される力を標示する情報またはゴルフスイング過程の時間に対する該ユーザの第2の足によって行使される力を標示する情報の少なくとも一つと、（b）標準ゴルフスイング足底力プロファイルとを同時に表示する工程
をさらに含む、本発明1032の方法。
[本発明1037]
第1の入力データセットを受け取る工程が、ゴルフスイング過程でユーザの第1の足によって該第1の足の複数の領域で行使される力を標示するデータを受け取る工程を含み、第2の入力データセットを受け取る工程が、ゴルフスイング過程で該ユーザの第2の足によって該第2の足の複数の領域で行使される力を標示するデータを受け取る工程を含む、本発明1032の方法。
[本発明1038]
ゴルフスイング過程の時間に対するゴルフクラブの位置を判定するためのクラブ位置感知システムから第3の入力データセットを受け取る工程
をさらに含む、本発明1032の方法。
[本発明1039]
ゴルフスイング過程の時間に対するゴルフクラブの位置を標示する情報を表示する工程
をさらに含む、本発明1038の方法。
[本発明1040]
（a）ゴルフスイング過程の時間に対するゴルフクラブの位置を標示する情報と（b）標準ゴルフスイング中のゴルフクラブの位置との比較を可能にする情報を表示する工程
をさらに含む、本発明1038の方法。
[本発明1041]
（a）ゴルフスイング過程の時間に対するゴルフクラブの位置を標示する情報と、（b）標準ゴルフスイング中のゴルフクラブの位置とを同時に表示する工程
をさらに含む、本発明1038の方法。
[本発明1042]
ゴルフスイング過程の時間に対するユーザの身体の部分の位置を判定するための身体位置感知システムから第3の入力データセットを受け取る工程
をさらに含む、本発明1032の方法。
[本発明1043]
ゴルフスイング過程の時間に対するユーザの身体の部分の位置を標示する情報を表示する工程
をさらに含む、本発明1042の方法。
[本発明1044]
（a）ゴルフスイング過程の時間に対するユーザの身体の部分の位置を標示する情報と（b）ゴルフスイング中の別のユーザの身体の対応する部分の位置との比較を可能にする情報を表示する工程
をさらに含む、本発明1042の方法。
[本発明1045]
（a）ゴルフスイング過程の時間に対するユーザの身体の部分の位置を標示する情報と、（b）ゴルフスイング中の別のユーザの身体の対応する部分の位置とを同時に表示する工程
をさらに含む、本発明1042の方法。
[本発明1046]
ユーザの身体の部分が手である、本発明1042の方法。
[本発明1047]
ユーザの身体の部分が肩である、本発明1042の方法。
[本発明1048]
ゴルフグローブを着用する工程であって、身体位置センサの少なくとも一部分が該ゴルフグローブに組み込まれている、工程
をさらに含む、本発明1042の方法。
[本発明1049]
シャツを着用する工程であって、身体位置センサの少なくとも一部分が該シャツに組み込まれている、工程
をさらに含む、本発明1042の方法。
[本発明1050]
第1のフットウエア製品および第2のフットウエア製品を着用する工程
をさらに含む、本発明1032の方法。
[本発明1051]
ゴルフスイングを解析する方法であって、以下の工程を含む、方法:
第1の力感知システムから第1の入力データセットを受け取る工程であって、該第1の入力データセットがゴルフスイング過程の時間に対するユーザの第1の足によって行使される力を標示する情報を含む、工程;
ゴルフスイング動力学感知システムから第2の入力データセットを受け取る工程であって、該第2の入力データセットがゴルフスイング過程の時間に対する該ユーザによって生成されるゴルフスイング動力学情報を含む、工程;ならびに
該第1の入力データセットおよび該第2の入力データセットを記憶する工程。
[本発明1052]
ゴルフスイング過程の時間に対するユーザの第1の足によって行使される力を標示する情報および該ゴルフスイング過程の時間に対するゴルフスイング動力学を標示する情報のうちの少なくとも一つを表示する工程
をさらに含む、本発明1051の方法。
[本発明1053]
ゴルフスイング過程の時間に対するユーザの第1の足によって行使される力を標示する表示情報と該ゴルフスイング過程の時間に対するゴルフスイング動力学を標示する情報とに対する該ゴルフスイング中のボールコンタクトの標示を表示する工程
をさらに含む、本発明1052の方法。
[本発明1054]
（a）ゴルフスイング過程の時間に対するユーザの第1の足によって行使される力を標示する情報または該ゴルフスイング過程の時間に対するゴルフスイング動力学を標示する情報の少なくとも一つと、（b）標準ゴルフスイングプロファイルとの比較を可能にする情報を表示する工程
をさらに含む、本発明1051の方法。
[本発明1055]
（a）ゴルフスイング過程の時間に対するユーザの第1の足によって行使される力を標示する情報または該ゴルフスイング過程の時間に対するゴルフスイング動力学を標示する情報の少なくとも一つと、（b）標準ゴルフスイングプロファイルとを同時に表示する工程
をさらに含む、本発明1051の方法。
[本発明1056]
第1の入力データセットを受け取る工程が、ゴルフスイング過程でユーザの第1の足によって該第1の足の複数の領域で行使される力を標示するデータを受け取る工程を含む、本発明1051の方法。
[本発明1057]
第2の入力データセットを受け取る工程が、ゴルフスイング過程の時間に対するゴルフクラブの少なくとも一部分の位置を標示するデータを受け取る工程を含む、本発明1051の方法。
[本発明1058]
第2の入力データセットを受け取る工程が、ゴルフスイング過程の時間に対するユーザの身体の部分の位置を標示するデータを受け取る工程を含む、本発明1051の方法。
[本発明1059]
ユーザの身体の部分が手である、本発明1058の方法。
[本発明1060]
ユーザの身体の部分が肩である、本発明1058の方法。
[本発明1061]
ゴルフグローブを着用する工程であって、ゴルフスイング過程の時間に対するユーザの身体の部分の位置を標示するデータが該ゴルフグローブから送信される、工程
をさらに含む、本発明1058の方法。
[本発明1062]
シャツを着用する工程であって、ゴルフスイング過程の時間に対するユーザの身体の部分の位置を標示するデータが該シャツから送信される、工程
をさらに含む、本発明1058の方法。
[本発明1063]
シューズを着用する工程であって、第1の力感知システムが該シューズに含まれる、工程
をさらに含む、本発明1051の方法。
[本発明1064]
ゴルフスイング過程の時間に対するユーザの第1の足によって行使される力を判定するための第1の力感知システムと、
ゴルフスイング過程の時間に対する該ユーザの第2の足によって行使される力を判定するための第2の力感知システムと、
該第1の力感知システムおよび該第2の力感知システムによって収集されるデータまたは該第1の力感知システムおよび該第2の力感知システムによって収集される該データから導出されるデータを記憶するためのメモリシステムと
を含む、ゴルフスイング評価システム。
[本発明1065]
ゴルフスイングを解析する方法であって、以下の工程を含む、方法:
第1の力感知システムから第1の入力データセットを受け取る工程であって、該第1の入力データセットがゴルフスイング過程の時間に対するユーザの第1の足によって行使される力を標示する情報を含む、工程;
第2の力感知システムから第2の入力データセットを受け取る工程であって、該第2の入力データセットがゴルフスイング過程の時間に対する該ユーザの第2の足によって行使される力を標示する情報を含む、工程;ならびに
該第1の入力データセットおよび該第2の入力データセットを記憶する工程。
本発明の上記およびその他の局面は、以下に示す本発明の詳細な説明を読めばさらに明らかになるであろう。